(57)【要約】【課題】組立性とメンテナンス性に優れた空気調和機を提供する。【解決手段】電装品ユニット１と熱交換器（図示せず）と通風路（図示せず）を有する室内機（図示せず）を備え、電装品ユニット１は、熱交換器の前面側に横長に配置され、各種電気部品（図示せず）を実装してなるプリント基板１ａと、プリント基板１ａを収納する電装品箱（図示せず）と、室内機の本体（図示せず）に設けた各種電装部品（図示せず）と接続されたハーネス５２を引き回して収納する通路５０とを備え、通路５０を、電装品ユニット１の左右端を略直線状に結ぶと共に、プリント基板１ａに沿って配設したもので、電装品ユニット１内部を引き回す各種のハーネス５２を直線状の通路５０に整然と納めることができるため、ハーネス５２の絡みや噛み込みが低減でき、電装品ユニット１の組立性とメンテナンス性を向上させることができる。【選択図】図１３
2014016130.tif 000002
【特許請求の範囲】
【請求項１】
電装品ユニットと熱交換器と通風路とファンと吹出口を有する室内機を備え、前記電装品ユニットは、前記熱交換器の前面側に横長に配置され、各種電気部品を実装してなるプリント基板と、前記プリント基板を収納する電装品箱と、前記室内機の本体に設けた各種電装部品と接続されたハーネスを引き回して収納する通路とを備え、前記通路を、前記電装品ユニットの左右端を略直線状に結ぶと共に、前記プリント基板に沿って配設したことを特徴とする空気調和機。
【請求項２】
通路を形成する壁を左右両端ともに無くし、ハーネスを左右端のどちらからでも電装品ユニット内へ引き込める構成としたことを特徴とする請求項１に記載の空気調和機。
【請求項３】
通路内に複数のリブを配設し、前記通路へ収納したハーネスを前記リブで保持する構成としたことを特徴とする請求項１又は２に記載の空気調和機。
【発明の詳細な説明】
【技術分野】
【０００１】
本発明は、空気調和機に関するもので、特に、電装品箱を室内機の熱交換器前面に配置した空気調和機に関するものである。
【背景技術】
【０００２】
従来のこの種の空気調和機の室内機は、吹出口の上部であって、かつ熱交換器の下部に位置する水受け皿の前面側に細長い電装品箱を配置し、従来と同一寸法の室内機であっても熱交換器やファンの配置スペースを増加して、空調効率を向上させたものがある（例えば、特許文献１参照）。
【先行技術文献】
【特許文献】
【０００３】
【特許文献１】特開２００１−６５９１６号公報
【発明の概要】
【発明が解決しようとする課題】
【０００４】
しかしながら、上記特許文献１に記載されたような従来の空気調和機の構成では、細長い電装品箱の内部には、横長に形成された複数のプリント基板が機能別に効率よく横並びに配設されているものの、ＡＣ電源やファン駆動モータ、さらにはフラップ制御モータなど、各種電装部品に接続され電装品箱内部へ引き込まれるハーネスが、プリント基板上を縦横無尽に引き回されているため、電装品箱の組立作業時やプリント基板の修理・交換などのメンテナンス時に、ハーネスの絡みやカバー・ケースへの噛み込みなどの課題が見受けられた。
【０００５】
本発明は、従来技術の有するこのような課題に鑑みてなされたものであり、電装品ユニット内部で引き回されるハーネスの絡みやケース・カバーへの噛み込みを無くし、電装品ユニットの組立性とメンテナンス性を向上させた空気調和機を提供することを目的とする。
【課題を解決するための手段】
【０００６】
上記従来の課題を解決するために、本発明の空気調和機は、電装品ユニットと熱交換器と通風路とファンと吹出口を有する室内機を備え、前記電装品ユニットは、前記熱交換器の前面側に横長に配置され、各種電気部品を実装してなるプリント基板と、前記プリント基板を収納する電装品箱と、前記室内機の本体に設けた各種電装部品と接続されたハーネスを引き回して収納する通路とを備え、前記通路を、前記電装品ユニットの左右端を略直線状に結ぶと共に、前記プリント基板に沿って配設したもので、電装品ユニット内部を引き回す各種ハーネスを直線状の通路に整然と納めることができるため、ハーネスの絡みや噛み込みが低減できて、電装品ユニットの組立性とメンテナンス性を向上させることができるものである。
【発明の効果】
【０００７】
本発明の空気調和機は、電装品ユニット内部で引き回されるハーネスの絡みやケース・カバーへの噛み込みを無くし、電装品ユニットの組立性とメンテナンス性を向上させた空気調和機を提供することが出来る。
【図面の簡単な説明】
【０００８】
【図１】本発明の実施の形態１における空気調和機の室内機における運転中の側面図
【図２】同室内機の正面図
【図３】同室内機の断面図（図２におけるＡ−Ａ断面）
【図４】同室内機の電装品ユニットの正面側斜視図
【図５】同電装品ユニットの背面側斜視図
【図６】同室内機の通風路の風速分布図
【図７】同電装品箱の分解斜視図
【図８】同電装品箱のカバーを開けた図
【図９】同電装品ユニットの断面図（図８におけるＤ−Ｄ断面）
【図１０】同室内機が室内へ設置され、電装品ユニットをメンテナンスする状態の図
【図１１】同室内機の断面図（図２におけるＢ−Ｂ断面）
【図１２】同電装品ユニットの断面図（図４におけるＣ−Ｃ断面）
【図１３】同電装品ユニットの内部を示した図
【発明を実施するための形態】
【０００９】
第１の発明は、電装品ユニットと熱交換器と通風路とファンと吹出口を有する室内機を備え、前記電装品ユニットは、前記熱交換器の前面側に横長に配置され、各種電気部品を実装してなるプリント基板と、前記プリント基板を収納する電装品箱と、前記室内機の本体に設けた各種電装部品と接続されたハーネスを引き回して収納する通路とを備え、前記通路を、前記電装品ユニットの左右端を略直線状に結ぶと共に、前記プリント基板に沿って配設したもので、電装品ユニット内部を引き回す各種ハーネスを直線状の通路に整然と納めることができるため、ハーネスの絡みや噛み込みが低減できて、電装品ユニットの組立性とメンテナンス性を向上させることができるものである。
【００１０】
第２の発明は、特に、第１の発明の通路を形成する壁を左右両端ともに無くし、ハーネスを左右端のどちらからでも電装品ユニット内へ引き込める構成としたもので、組立性とメンテナンス性の向上を図るとともに、室内機本体内へ設置する各種電装部品の配置に対する設計自由度の向上や、ハーネスの低コスト化も図れる。
【００１１】
第３の発明は、特に、第１又は第２の通路内に複数のリブを配設し、前記通路へ収納したハーネスを前記リブで保持する構成としたもので、ハーネスの絡みや噛み込みをさらに低減することができる。
【００１２】
以下、本発明の実施の形態について、図面を参照しながら説明する。なお、この実施の形態によって本発明が限定されるものではない。
【００１３】
（実施の形態１）
図１は、実施の形態１における空気調和機の室内機における運転中の側面図、図２は、同室内機の正面図、図３は、同室内機の断面図（図２におけるＡ−Ａ断面）、図４は、同室内機の電装品ユニットの正面側斜視図、図５は、同電装品ユニットの背面側斜視図、図６は、同室内機の通風路の風速分布図、図７は、同室内機の電装品箱の分解斜視図、図８は、同電装品箱のカバーを開けた図、図９は、同電装品ユニットの断面図（図８におけるＤ−Ｄ断面）、図１０は、同室内機が室内へ設置され、電装品ユニットをメンテナンスする状態の図、図１１は、同室内機の断面図（図２におけるＢ−Ｂ断面）、図１２は、同電装品ユニットの断面図（図４におけるＣ−Ｃ断面）、図１３は、同電装品ユニットの内部を示した図である。
【００１４】
図１〜３において、本実施の形態における空気調和機は、冷媒配管（図示せず）で互いに接続された室外機（図示せず）と室内機４０とで構成されている。
【００１５】
室内機４０は、本体２の前面開口部２ａを開閉自在の前面パネル４を有しており、空気
調和機の運転停止時は、前面パネル４は、本体２に密着して前面開口部２ａを閉じているのに対し、空気調和機の運転時は、前面パネル４は、本体２から離反する方向に移動して前面開口部２ａを開放する。尚、図３は、前面パネル４が前面開口部２ａを閉じた状態を示している。
【００１６】
また、本体２の内部には、熱交換器６と、前面開口部２ａ及び上面開口部２ｂから取り入れられた室内空気を熱交換器６で熱交換して室内に吹き出すためのファン８と、熱交換した空気を室内に吹き出す吹出口１０を開閉するとともに空気の吹き出し方向を上下に変更する上下風向変更羽根１２（以下、単に「上下羽根１２」という）と、空気の吹き出し方向を左右に変更する左右風向変更羽根１４（以下、単に「左右羽根１４」という）を備えている。尚、上下羽根１２は、吹出口１０を開閉する下羽根１８と、下羽根１８の上方に設けられ下羽根１８と協働して吹出口１０から吹き出された空気の吹き出し方向を制御する上羽根２０とで構成され、下羽根１８は、駆動軸（図示せず）に連結される一方、上羽根２０は駆動軸（図示せず）に連結され、各駆動軸（図示せず）は駆動モータ等の駆動源（図示せず）に連結されている。
【００１７】
そして、空気調和機が運転を開始すると、上下羽根１２は回動して吹出口１０を開口し、ファン８が駆動されることで、室内空気は、前面開口部２ａおよび上面開口部２ｂを介して室内機４０の内部に取り入れられる。取り入れられた室内空気は、熱交換器６で熱交換を行い、ファン８を通過して、ファン８の下流側に形成された通風路２８を通過し吹出口１０より吹き出される。
【００１８】
また、前面開口部２ａおよび上面開口部２ｂと熱交換器６との間には、前面開口部２ａおよび上面開口部２ｂから取り入れられた室内空気に含まれる塵埃を除去するためのフィルタ１６が設けられており、このフィルタ１６は、フィルタ枠３ａに取り付けられている。また、フィルタ１６の下部前面側及び吹出口１０の上側には、表示ユニット４１が設けられている。
【００１９】
このように構成された室内機４０の本体２内部の前面上部に配置した電装品ユニット１の構成について説明する。
【００２０】
電装品ユニット１は、図２、４、５に示すように、本体２内部のほぼ全幅に渡って横長に配置構成するために補強されたベース基板１ｂを設け、このベース基板１ｂ上の右半分側に電装品箱７を備え、また、左側には前面パネル４を開閉駆動させる駆動装置４２ｂと、左側端には強制運転スイッチ４４を備えており、さらに、電装品箱７と駆動装置４２ｂとの間には、運転時の前面開口部２ａ、上面開口部２ｂ（図１に示す）を有効に活かすための開口部１ｃをベース基板１ｂに設けている。そして、電装品箱７と駆動装置４２ｂとの間には、開口部１ｃを構成した左樹脂ケース３１と左樹脂カバー３０とを設けて、ベース基板１ｂを覆う構造となっている。
【００２１】
そして、本体２の内部構成は、図１に示すように、熱交換器６の前面上部は一定の傾斜角をもった傾斜面６ａを形成し、さらに前記熱交換器６を囲むように配設したフィルタ１６は、前記熱交換器６の傾斜面６ａと同じ傾斜角をもった傾斜面１６ａを形成しており、電装品ユニット１は、このフィルタ１６の傾斜面１６ａに対し同じ傾斜角を持ちながら横長に配置されている。
【００２２】
このような配置構成により、熱交換器６、本体２内部の通風路２８の幅および吹出口１０の幅を広く配設することを可能にしている。
【００２３】
また、電装品ユニット１を前記通風路２８内のファン８の中心８ａ位置より上側に配置
することで、図６に示す風速分布図の遅い領域への配置となり、風性能への悪影響を低減することができるものである（ここで、風速分布とは、風速の流れを矢印で表したもので、風速の速さを矢印の長さで表し、風速の方向を矢印の角度で表したものである）。
【００２４】
また、熱交換器６の結露水を排水するための水受け皿９よりも高い位置に電装品箱７が配置されるため、結露水が電装品箱７の内部へ浸入することを防止する構成となっている。さらに、電装品ユニット１は、フィルタ１６の傾斜面１６ａから２０ｍｍ以上の距離を開けて離した位置に配置しているため、電装品ユニット１の背面側にも風を通すことができ、電装品箱７への露付き防止を図ることができるとともに、電装品箱７内部の温度上昇を低減することができるため、電装品箱７に放熱孔を不要とし、埃や水の浸入を防止することができる。
【００２５】
次に、電装品ユニット１の固定構成について説明する。図３に示すように、本体２のベースである台枠５には、ファン８と、熱交換器６と、フィルタ自動清掃ユニット３がそれぞれ直に固定されている。電装品ユニット１は、フィルタ自動清掃ユニット３の骨格をなすフィルタ枠３ａに固定されており、電装品ユニット１の両端部の右側に引掛け部１ｄと、左側に爪１ｅ（図５に示す）を設け、前記フィルタ枠３ａの両側にそれぞれ係止固定して構成している。また、図２に示したように、電装品ユニット１の右端にはターミナルユニット４３が爪固定され、ターミナルユニット４３は、フィルタ自動清掃ユニット３にネジ固定されている。
【００２６】
次に、電装品箱７の構成について説明する。図７に示したように、プリント基板１ａは半田面側を樹脂ケース７ｂ側に向けて樹脂ケース７ｂに形成した爪（図示せず）とリブ（図示せず）によって支持され、各種電気部品が実装された部品面側は、樹脂カバー７ａで覆うように構成している。
【００２７】
そして、図８および図９に示すように、樹脂ケース７ｂに軸穴５５ａを、樹脂カバー７ａには軸５５ｂを設けた回転支持部５５で両者を係合し、樹脂カバー７ａは、回転支持部５５を回転軸として下方向に開閉動作する。このように樹脂カバー７ａを下方向に開閉する構成においては、図１０に示したように、本体２が部屋の壁６０に天井６１と近接して設置された場合においても、電装品ユニット１のメンテナンスなどで電装品箱７の樹脂カバー７ａを開閉するときに、樹脂カバー７ａが天井６１と干渉することなく容易に作業を行うことができるものである。
【００２８】
また、電装品箱７は、図１２に示すように、樹脂ケース７ｂと樹脂カバー７ａは互いの側壁が重なる部分を多くして嵌合し、これによりプリント基板１ａを密封した構造にするとともに、樹脂カバー７ａの外壁は、金属カバー７ｃで覆われている。
【００２９】
そして、図７に示すように、電装品箱７は、ベース基板１ｂへ装着され、プリント基板１ａをベース基板１ｂにネジ７ｄで固定するとともに、電気的に短絡させている。また、金属カバー７ｃの側壁にネジ固定部５３を設け、ベース基板１ｂへネジ固定するとともに、電気的に短絡させている。このような構成にすることで、金属カバー７ｃとベース基板１ｂには高電圧の電荷が帯電することなく、ユーザーが電装品箱７に触れても感電することはない。
【００３０】
さらに、上記のような構成においては、電気部品が万が一発火した場合でも、樹脂ケース７ｂと樹脂カバー７ａ、ベース基板１ｂと金属カバー７ｃによって、窒息消化と類焼を防止するものである。尚、この場合、樹脂ケース７ｂおよび樹脂カバー７ａの樹脂は、難燃性のものを用いることがより好ましい。
【００３１】
また、図１１に示すように、ネジ固定部５３は、電装品ユニット１を本体２へ装着したときにネジ７ｄの軸が略水平（図中、二点鎖線で表示）となるように、ネジ７ｄの受面角度を設定している。このような構造にすることにより、電装品箱７のメンテンナンスなどでネジ７ｄを取付け、取外しする際に、本体２の正面からドライバーを略水平に保ちながら作業を行うことが可能となり、メンテナンスを容易に行うことができるものである。
【００３２】
ここで、電装品ユニット１の構成について追記して説明する。図１３に示すように、電装品ユニット１は、その電装品ユニット１の左右端を略直線状に結ぶ通路５０をプリント基板１ａに沿って配設しており、プリント基板１ａと各種電装部品とを接続するハーネス５２はこの通路５０に収納されている。尚、通路５０は、右半分は樹脂ケース７ｂで形成して樹脂カバー７ａで覆い、左半分は、左樹脂ケース３１で形成して左樹脂カバー３０で覆っている。
【００３３】
また、通路５０の左右端は、両側とも壁面が無く開放されており、ハーネス５２は必要に応じて左右どちらからでも電装品ユニット１内に引き回すことが可能である。このような構成により、室内機４０の本体２内へ設置する各種電装部品の配置に対する設計自由度の向上や、ハーネス５２の低コスト化も図れる。さらに、通路５０内には複数の押えリブ５１を設けて、ハーネス５２を保持して浮き上がりを防止している。このような構成により、ハーネス５２を整然と引き回すことができるため、ハーネス５２の絡みや樹脂ケース７ｂ・樹脂カバー７ａへの噛み込みを低減できるものである。
【００３４】
以上のように、本実施の形態における空気調和機においては、電装品ユニット１を熱交換器６の前面上部に横長置き状態で配置することにより、熱交換器６および吹出口１０の有効幅が拡大できるため、空調効率および風向性能が向上する。また、電装品箱７を水受け皿９より高い位置に配置するため水の浸入などの影響を無くすとともに、吸い込み空気が流れる場所であるためにプリント基板１ａへの露付き防止設計が容易となり、かつ放熱性が高いために電装品箱７の放熱孔が不要となるので、電装品箱７内部に埃などの浸入が防止できる。さらに、樹脂カバー７ａ、樹脂ケース７ｂと金属カバー７ｃと金属製のベース基板１ｂによる窒息消化・類焼を防止した構造とすることができる。
【００３５】
また、電装品ユニット１の金属カバー７ｃとベース基板１ｂとを短絡し、さらにプリント基板１ａとも短絡することで、電装品ユニット１をユーザーが触れたときの感電を防止することができる。そして、樹脂カバー７ａを下方向に開閉できる構造にするとともに、金属カバー７ｃとベース基板１ｂとの接合点であるネジ固定部５３を金属カバー７ｃの側壁に設けて所定の角度に設定したことにより、本体２が部屋の壁６０に天井６１と近接して設置された場合においても、樹脂カバー７ａが天井６１と干渉することを心配することなく、かつ本体２の正面からネジ７ｄの取付け、取外しができるため、電装品ユニット１のメンテナンスが容易に行える。
【００３６】
さらに、電装品ユニット１は、その左右端を略直線状に結ぶ通路５０を設けてハーネス５２を収納するとともに、この通路５０内には、押えリブ５１を複数設けてハーネス５２を保持して浮き上がりを防止する。これにより、ハーネス５２を整然と引き回すことができるため、ハーネス５２の絡みや樹脂ケース７ｂ、樹脂カバー７ａへの噛み込みが低減できて、電装品ユニット１の組立性とメンテナンス性の向上が図れる。
【産業上の利用可能性】
【００３７】
本発明に係る空気調和機は、電装品ユニットを本体内の前面上部に配置することにより、熱交換器および吹出口の有効幅を広げることで、空調効率および風向性能を向上させるとともに、電装品ユニットの組立性とメンテナンス性を容易にするもので、一般家庭で使用される空気調和機を含む様々な空気調和機に有用である。
【符号の説明】
【００３８】
１  電装品ユニット
１ａ  プリント基板
１ｂ  ベース基板
１ｃ  開口部
１ｄ  引掛け部
１ｅ  爪
２  本体
２ａ  前面開口部
２ｂ  上面開口部
３  フィルタ自動清掃ユニット
３ａ  フィルタ枠
４  前面パネル
５  台枠
６  熱交換器
６ａ  傾斜面
７  電装品箱
７ａ  樹脂カバー
７ｂ  樹脂ケース
７ｃ  金属カバー
７ｄ  ネジ
８  ファン
８ａ  中心
９  水受け皿
１０  吹出口
１２  上下風向変更羽根（上下羽根）
１４  左右風向変更羽根（左右羽根）
１６  フィルタ
１６ａ  傾斜面
１８  下羽根
２０  上羽根
２８  通風路
３０  左樹脂カバー
３１  左樹脂ケース
４１  表示ユニット
４２ｂ  駆動装置
４３  ターミナルユニット
４４  強制運転スイッチ
５０  通路
５１  押えリブ
５２  ハーネス
５３  ネジ固定部
５５  回転支持部
５５ａ  軸穴
５５ｂ  軸
【図１】
2014016130.tif 000003
【図２】
2014016130.tif 000004
【図３】
2014016130.tif 000005
【図４】
2014016130.tif 000006
【図５】
2014016130.tif 000007
【図６】
2014016130.tif 000008
【図７】
2014016130.tif 000009
【図８】
2014016130.tif 000010
【図９】
2014016130.tif 000011
【図１０】
2014016130.tif 000012
【図１１】
2014016130.tif 000013
【図１２】
2014016130.tif 000014
【図１３】
2014016130.tif 000015